(57)【要約】【課題】苺の包装時に起きる苺と包装容器の接触による傷みや苺同士の接触による傷みを防ぎ、完熟した苺や柔らかく傷みやすい品種の苺を出荷するにも適した苺用包装容器を提供することを目的とするものである。【解決手段】ＰＥＴ又はプラスチック素材からなる基材２及び基材３で構成され、前記基材２は支持枠２ａに支持され下方に突出した多数のお椀型の苺保持部２ｂを形成し、前記苺保持部２ｂの底部中央には十字状、Ｙ字状、放射状等の切り込みによる茎挿入部２ｃを設けたもので、前記基材２と同形状の基材３とを重ねて二重構造にしたことを特徴とする苺用包装容器１の構成とした。【選択図】図１
2008285228.tif 000002
【特許請求の範囲】
【請求項１】
ＰＥＴ又はプラスチック素材からなる基材は、支持枠に支持され下方に突出した多数のお椀型の形状の苺保持部を形成し、前記苺保持部の底部中央には切り込みによる茎挿入部を設けたもので、前記基材と同形状の基材とを二重に重ねた二重構造とすることを特徴とする苺用包装容器。
【請求項２】
ＰＥＴ又はプラスチック素材からなる収納ケース及び前記収納ケース内部に設けられた苺保持部とで構成され、前記苺保持部は中央に向かって緩やかな窪みとなる保持部を形成するため湾曲に成形した板状の保持板及び前記保持板と同形状の保持板とを二重に重ねた二重構造からなり、前記苺保持部の中央には切り込みによる茎挿入部を設けたことを特徴とする一個包装用の苺用包装容器。
【請求項３】
支持枠に支持され下方に突出した多数のお椀型の形状の苺保持部を形成し、前記苺保持部の底部中央には切り込みによる茎挿入部を設けたことを特徴とする苺用包装容器。
【請求項４】
収納ケースと、前記収納ケース内部に設けられた中央に向かって緩やかな窪みとなる保持部を形成するため湾曲に成形した板状の保持板からなり、前記保持板の中央には切り込みによる茎挿入部を設けたことを特徴とする一個包装用の苺用包装容器。
【請求項５】
苺保持部の底部中央に設けた茎挿入部は、十字状、Ｙ字状、放射状等の切り込みによるものとすることを特徴とする請求項１〜請求項４の何れかに記載の苺用包装容器。
【請求項６】
苺と前記基材又は保持板の間にクッション材を設けたことを特徴とする
請求項１〜請求項５の何れかに記載の苺用包装容器。
【請求項７】
苺保持部の底部に設けた茎挿入部に苺の茎を挿入し、前記茎を下方に引き出すことで苺を垂直に立てた状態で固定し、前記苺のへたに覆われた部分を苺保持部で保持することにより前記苺の果肉が苺保持部の表面と接触することなく安定して収納するようにしたことを特徴とする苺の収納方法。
【発明の詳細な説明】
【技術分野】
【０００１】
本発明は、完熟した苺や傷みやすい品種の苺を出荷する際に適した苺用の包装容器に関するものである。
【背景技術】
【０００２】
従来、苺の出荷は完熟前のものを収穫し予冷処理を行ったものを全国から首都圏などに輸送しているが、その際に使用する包装容器はプラスチック製の容器で開口部を包装用フィルムで覆う形態が多いため、完熟物での出荷が困難であると共に苺が傷みやすいという現実がある。
【０００３】
また、苺の傷みを減らし、収容量を低下させることなくコンパクトな苺ケースとして特許文献１に記載の苺ケースが開発されているが、前記苺ケースは、板状部材によって形成された容器及び容器の開口部を開閉するように構成された蓋を備え、前記容器の底部には苺を斜めに傾けた状態で並列に配置された苺の輪郭に沿うよう湾曲形成された溝部を備えたものである。
【０００４】
しかしながら、前記苺ケースは苺を斜めに傾けて容器底部の溝部に収納するために、苺を安定して収納できる利点はあるが、傾けて収納する分だけ容器底部に密接する苺の表面積が増え、また苺が傾いた状態で並列に収納されるので苺どうしが密接する部分が大きくなるために、容器に密接した部分や苺どうしで密接した部分から傷みやすいために、やはり完熟した苺や柔らかく傷みやすい品種の苺の出荷には不向きであると考えられる。
【特許文献１】特開２００４−３１４９８２号
【発明の開示】
【発明が解決しようとする課題】
【０００５】
そこで、本発明は、包装することによる苺の傷みが起きにくく、完熟した苺や柔らかく傷みやすい品種の苺を出荷するにも適した苺用の包装容器を提供することを目的としたものである。
【課題を解決するための手段】
【０００６】
本発明は、上記の課題を解決するために、ＰＥＴ又はプラスチック素材からなる基材２及び基材３で構成され、前記基材２は支持枠２ａに支持され下方に突出した多数のお椀型の苺保持部２ｂを形成し、前記苺保持部２ｂの底部中央には切り込みによる茎挿入部２ｃを設けたもので、前記基材２と同形状の基材３とを重ねて二重構造にすることでクッション性を持たせたことを特徴とする苺用包装容器１の構成とした。また、ＰＥＴ又はプラスチック素材からなる収納ケース７及び前記収納ケース７内部に設けられた苺保持部８とで構成され、前記苺保持部８は中央に向かって緩やかな窪みとなる保持部９ａを形成するため湾曲に成形した板状の保持板９及び前記保持板９と同形状の保持板１０とを二重に重ねた二重構造からなり、前記苺保持部８の中央には切り込みによる茎挿入部９ｂ、１０ｂを設けたことを特徴とする一個包装用の苺用包装容器６の構成とした。
さらに、支持枠２ａに支持され下方に突出した多数のお椀型の形状の苺保持部２ｂを形成し、前記苺保持部２ｂの底部中央には切り込みによる茎挿入部２ｃを設けたことを特徴とする苺用包装容器１４の構成とした。また、収納ケース７と、前記収納ケース７内部に設けられた中央に向かって緩やかな窪みとなる保持部９ａを形成するため湾曲に成形した板状の保持板９からなり、前記保持板９の中央には切り込みによる茎挿入部９ｂを設けたことを特徴とする一個包装用の苺用包装容器１６の構成とした。
さらには、前記苺保持部の底部中央に設けた茎挿入部は、十字状、Ｙ字状、放射状等の切り込みによるものとすることを特徴とする前記何れかに記載の苺用包装容器の構成とした。
加えて、苺と前記基材又は保持板の間にクッション材５、１１を設けたことを特徴とする前記何れかに記載の苺用包装容器の構成とした。
【０００７】
また、本発明である苺用包装容器１を用いて苺４を包装する場合は、苺４の茎４ｂを苺用包装容器１の苺保持部２ｂの底部に設けた茎挿入部２ｃに挿入して苺４を垂直に立てた状態で固定し、苺４のへた４ｃに覆われた部分を苺保持部２ｂで保持することで果肉４ａが苺保持部２ｂの表面と接触することなく安定した状態で収納でき、二重構造によって茎挿入部２ｃ、３ｃも二重となることで確実に茎４ｂを固定することを可能としたことを特徴とする苺用包装容器１を用いた苺の収納方法とした。
【発明の効果】
【０００８】
本発明は、苺の茎を利用して容器底部に苺を固定することで安定して収納でき、苺を立てた状態で収納することで容器底部に接触するのは苺のへた部分となり、苺の柔らかい果肉部分と容器の接触面を最小限に抑えることで、苺の傷みを防ぐことができる。
【０００９】
また、並設した各苺保持部の間には間隙が設けられているために苺どうしが接触することがなく、苺どうしの接触による傷みも防ぐことができ、基材を重ねた二重構造とすることで包装容器自体にクッション性を持たせることができるため輸送等の際にかかる衝撃を吸収し、且つ茎を挿入する茎挿入部も二重となることから確実に茎を固定して輸送中等に茎が外れて苺が倒れてしまう危険性をなくすので、本発明の包装容器を利用することで完熟した苺や柔らかく傷みやすい品種の苺の出荷も可能となる。
【発明を実施するための最良の形態】
【００１０】
本発明である苺用包装容器は、支持枠に支持された多数の苺保持部を持つ基材で構成され、前記苺保持部の下方に突出して形成された浅いお椀型の形状をした苺保持部の底部には十字状、Ｙ字状、放射状等の切り込みによる茎挿入部を設け、前記基材と同形状の基材とを重ねて二重構造とすることで苺用包装容器自体にクッション性を持たせることができ、苺を収納する際には前記苺保持部に設けた茎挿入部に苺の茎を挿入して苺を固定し、苺保持部で苺のへたに覆われた部分を保持しながら苺を垂直に立てた状態で収納するために、苺どうしの接触をなくし苺と包装容器の接触を最小限にすることで苺の傷みを防ぐことができる苺用包装容器及び苺の収納方法である。
【実施例１】
【００１１】
図１は本発明である苺用包装容器の斜視図、図２は苺用包装容器の平面図、図３は苺用包装容器の正面図、図４は苺用包装容器の左側面図、図５は苺用包装容器の底面図、図６は苺用包装容器の分解図である。図１から図６に示すように、本発明である苺用包装容器１は基材２及び基材３で構成され、図６の分解図からも分かるように基材２と基材３は同形状であり、前記基材２と基材３を重ねて二重構造としたものある。
【００１２】
本発明である苺用包装容器１を構成する基材２と基材３は同形状のものであるため、基材２を用いて詳細に説明する。図１から図５に示すように、本発明である苺用包装容器１を構成する基材２はＰＥＴ或いはプラスチック素材からなり、支持枠２ａに支持された多数の苺保持部２ｂが形成されている。
【００１３】
図１、図２及び図３に示すように、支持枠２ａの四辺からは下方向に突出した帯状の突出部２ｅが設けられ、支持枠２ａに支持された苺保持部２ｂは支持枠２ａから下方に突出したお椀型の形状をしており、前記苺保持部２ｂの底部中央には切り込みによる茎挿入部２ｃが設けられている。
【００１４】
図１から図３に示した前記茎挿入部２ｃは、十字の切り込みによるものであるが、前記茎挿入部２ｃの形状は図１８及び図１９に示したようにＹ字状、放射状等とすることも可能であり、十字状に限ったものではない。
【００１５】
図示した苺用包装容器１では、５個の苺保持部２ｂを並列に並べ１列とし、縦３列に形成することで１５個の苺を収納できるものとしたが、１列を４個として１２個の苺を収納する包装容器にする等、苺保持部２ｂの数は変更することが可能である。
【００１６】
隣設した苺保持部２ｂと苺保持部２ｂの間には間隙２ｄが設けられているため、各苺保持部２ｂ、２ｂ、２ｂ・・・は密接することなく一定の距離を保って形成されている。前記間隙２ｄは、縦列方向、並列方向共に設けられており、各苺保持部２ｂ、２ｂ、２ｂ・・・は独立したものとして形成されている。
【００１７】
本発明である苺用包装容器１は、基材２及び前記基材２と同形状の基材３を重ねて二重構造としたものであるために、図５に示すように、苺用包装容器１の底面として現れるのは基材３の底面となる。
【００１８】
図７は図２中に示した本発明である苺用包装容器のＡ−Ａ線に沿った断面図である。本発明である苺用包装容器１は同形状の基材２及び基材３を重ねた二重構造である。すなわち、基材２の下方に基材３を重ねて苺用包装容器１を構成している。
【００１９】
図７中の拡大図に示すように、基材２を構成する苺保持部２ｂと基材３を構成する苺保持部３ｂは同形状であるために、苺保持部２ｂに設けた茎挿入部２ｃと苺保持部３ｂに設けた茎挿入部３ｃは重なり、同位置に形成されている。
【００２０】
図８から図１２は本発明である苺用包装容器を用いて苺を収納した状態を示す図である。図８は本発明である苺用包装容器の使用状態を示す斜視図、図９は苺用包装容器の使用状態を示す正面図、図１０は苺用包装容器の使用状態を示す平面図、図１１は苺用包装容器の使用状態を示す底面図、図１２は図１０中に示したＢ−Ｂ線に沿った断面図である。
【００２１】
図に示すように、本発明である苺用包装容器１に苺４を収納すると、苺４を垂直に立てた状態で収納し、苺用包装容器１の上方には苺４の果肉４ａ部分が突出し、下方には茎４ｂが突出した状態となる。以下に、図１２を用いて本発明である苺用包装容器１に苺４を収納する方法を説明する。
【００２２】
図１２は図１０中に示したＢ−Ｂ線に沿った断面図、すなわち本発明である苺用包装容器１の使用状態の断面図である。図１２に示すように、本発明である苺用包装容器１に苺４を収納するには、収穫の際に苺４の茎４ｂを長めに残して収穫することが必要となっている。
【００２３】
本発明である苺用包装容器１では、基材２及び基材３に形成された苺保持部２ｂ及び苺保持部３ｂが重なっている状態なので、茎挿入部２ｃと茎挿入部３ｃも重なった状態となっている。前記茎挿入部２ｃ及び茎挿入部３ｃに苺４の茎４ｂの先端を挿入し、茎４ｂを苺保持部２ｂ及び苺保持部３ｂの下方に突出させ、茎４ｂの根本まで引き出し、苺４を苺保持部２ｂに引き入れる。
【００２４】
このとき、苺保持部２ｂの底部に設けられた茎挿入部２ｃ、３ｃは十字の切り込みであるために、茎挿入部２ｃ、３ｃに茎４ｂを挿入して引き込むことによって十字を形成する四片が下方に開き、弁の役割を果たすこととなる。そのため、茎４ｂが茎挿入部２ｃ、３ｃから抜け落ちる危険性を防ぐことができると共に、茎４ｂに傷を付けてちぎれてしまうことなく、苺４を苺保持部２ｂ内に固定することができる。
【００２５】
また、前記苺保持部２ｂの底部に設けられた茎挿入部２ｃ、３ｃは、十字の切り込みとは限らず図１８及び図１９に示したＹ字状の切り込み１２或いは放射状の切り込み１３等とすることも可能である。この場合も前記十字の切り込みの茎挿入部２ｃ、３ｃと同様に切り込みよる片が弁の役割を果たして茎４ｂを傷つけることなく固定することができる。
【００２６】
苺４を保持する苺保持部２ｂは支持枠２ａから下方に突出したお椀型に形成されているが、前記苺保持部２ｂの直径は苺の直径にほぼ合わせた大きさでその深さは苺４の大きさに対して浅い窪みであるため、苺４のへた４ｃに覆われた部分のみが苺保持部２ｂの表面に密接し、苺４を垂直に立てた状態で安定させることができる。そのため、苺４の果肉４ａは苺保持部２ｂに接触することなく収納でき、果肉４ａの傷みを防ぐことができる。
【００２７】
また、隣設した苺保持部２ｂ、２ｂの間には間隙２ｄが設けられ、各苺保持部２ｂ、２ｂ、２ｂ・・・は独立した状態で形成されている。そのために、隣り合った苺４と苺４が接触することなく収納でき、苺４同士の接触による傷みを防ぐことができる。
【００２８】
更に、本発明である苺用包装容器１は基材２と基材３を重ねた二重構造であるために、苺用包装容器１自体が輸送時等にかかる衝撃を吸収し、苺４に衝撃による負担がかかることなく輸送することができるので、輸送による苺４の傷みを防ぐことができると共に、苺４を固定する重要な役割を果たす苺保持部２ｂ、３ｂに設けた茎挿入部２ｃ、３ｃも二重の構造となるために二箇所で茎４ｂを固定することができ、苺４が転倒する等の危険を防ぎ苺４を傷つけることなく輸送することを可能にする。
【００２９】
ここで、苺用包装容器１は、基材２と基材３を重ねた二重構造とするだけでなく、更に同形状の基材を重ねて三重構造としてもよい。三重構造にすることでクッション性が高まるだけではなく、茎挿入部も三重となるので三箇所で茎４ｂを押さえ苺４を固定することができ、輸送距離や輸送方法に合わせて二重構造或いは三重構造の苺用包装容器１とすることで、より広い範囲に完熟した苺や柔らかい品種の苺を出荷することが可能となる。
【００３０】
図１５は、本発明である苺用包装容器にクッション材を取り付けた状態を示す図である。図に示すように、本発明である苺用包装容器１にクッション材５を取り付けることも可能である。前記クッション材５は円盤状でその中心には円形の茎挿通孔５ａが設けられている。
【００３１】
クッション材５を用いる場合には、まず苺４の茎４ｂをクッション材５の茎挿通孔５ａに挿通させてから、茎４ｂを苺保持部２ｂ、３ｂに挿入する。苺保持部２ｂとへた４ｃの間にクッション材５が存在することで、へた４ｃに覆われた果肉４ａ部分が苺保持部２ｂの表面に密接することなく苺保持部２ｂに固定され、かつクッション材５が衝撃を吸収するために、苺４にかかる衝撃が軽減し、苺４を新鮮に保つことができる。
【実施例２】
【００３２】
図１４から図１７は本発明である苺用包装容器の他の実施例を示すものである。図１４は本発明である苺用包装容器の第２実施例の斜視図、図１５は図１４中に示したＣ−Ｃ線に沿った断面図、図１６は第２実施例の使用状態を示す斜視図、図１７は図１６中に示したＤ−Ｄ線に沿った断面図である。
【００３３】
図１４から図１７に示すように、第２実施例の苺用包装容器６は一個の苺を個包装するための包装容器である。苺用包装容器６は、収納ケース７及び苺保持部８で構成され、前記苺保持部８は保持板９、保持板１０及びクッション材１１で構成されている。
【００３４】
苺用包装容器６を構成する収納ケース７は、正面板７ａ、左側面板７ｂ、背面板７ｃ、右側面板７ｄからなる上下が開口したＰＥＴ又はプラスチック素材のケースである。前記収納ケース７内部の下方には、苺保持部８が設けられている。
【００３５】
前記苺保持部８は、保持板９及び前記保持板９と同形状の保持板１０を重ねた二重構造である。保持板９及び保持板１０も収納ケース７同様ＰＥＴ又はプラスチック素材からなり、中央に向かって緩やかな窪みとなる保持部９ａを形成するために湾曲した板状の保持板９は、中央に十字の切り込みによる茎挿入部９ｂが設けられている。前記茎挿入部９ｂの切り込みとは実施例１の苺用包装容器と同様に、図示した十字状の切り込みに限らず、Ｙ字状、放射状等の切り込みによるものである。
【００３６】
苺保持部８を構成する保持板１０は、前記保持板９と同形状である。すなわち、保持板１０は中央に向かって緩やかな窪みとなる保持部１０ａを形成するために湾曲した板状で、中央部には十字の切り込みによる茎挿入部１０ｂが設けられている。
【００３７】
前記苺保持部８を構成する保持板９の上部には、保持部９ａを覆うようにクッション材１１が取り付けられている。前記クッション材１１は、円盤状で中央に円形の茎挿通孔１１ａが設けられた、弾力性のあるクッション材１１である。
【００３８】
図１６及び図１７に示すように、苺用包装容器６に苺４を収納する際には、収納ケース７上部の開口部から苺４を収納ケース７内に入れ、苺保持部８を構成するクッション材１１の茎挿通孔１１ａ、保持板９及び保持板１０に設けた茎挿入部９ｂ、１０ｂに苺４の茎４ｂを挿入し、収納ケース７下部の開口部から茎４ｂを根本まで引き出す。
【００３９】
それにより、保持板９及び保持板１０に設けた茎挿入部９ｂ、１０ｂの十字を形成する四片が下方に開き弁の役割を果たすことで、茎４ｂを固定する。そして苺４はクッション材１１を介して保持部９ａの窪みに収まるために、苺保持部８で苺４を安定して収納することができる。
【００４０】
このとき、保持板９及び保持板１０に形成された保持部９ａ及び保持部１０ａの窪みが浅いので、苺４のへた４ｃに覆われた部分のみが保持部９ａの窪みに収まり、果肉４ａとクッション材１１或いは保持板９の表面が接触することなく、苺４を苺保持部８に安定して収納できる。
【００４１】
また、苺保持部８は保持板９及び保持板１０による二重構造であるために苺保持部８自体にクッション性があり、更に苺４と保持板９の間にはクッション材１１を用いることで、苺４に加わる衝撃を最小限に抑えることができ、苺４の傷みを防いで新鮮に保つことができる。
【００４２】
ここで苺用包装容器６を構成する苺保持部８は、保持板９及び保持板１０による二重構造だけではなく、同形状の保持板を重ねた三重構造とすることで、より苺４に与える衝撃を抑え、苺４を倒れることなく固定することも可能である。
【００４３】
図１４から図１７に示した本実施例の苺用包装容器６を用いることで、市場で高い価値のつく品種の苺や大粒の品種の苺を一粒ずつ個包装しての出荷・販売が可能となるため、消費者にとっては高価で手を出しにくい品種の苺に対しても購買意欲を持たせることが可能となる。
【実施例３】
【００４４】
図２０は、本発明である苺用包装容器の第３の実施例の横断面図である。苺用包装容器１４は、実施例１における基材２である。即ち、実施例１において、基材２、３を重ねて使用しているが、第３の実施例である苺用包装容器１４は、基材２を１重で使用するものである。従って、図２０において、実施例１と同一の符号は、実施例１と同じ構造、機能意味する。
【００４５】
なお、基材２の素材としては、プラスチック、ＰＥＴの他、スポンジ状の樹脂、発泡スチロール、金属、木材などの天然素材なども使用できる。このように、一重であっても、二重より、クッション性において機能は低下するものの、基材２素材、厚みの選択、或いはクッション材５を使用すること、さらには苺４が直立保持され、さらに苺４間に間隙２ｄを有するため、従来に比べ十分苺４の傷みが改善される。
【００４６】
図２１は、クッション材を取り付けた苺用包装容器を示す断面図である。苺用包装容器１５は、図２０において、苺４と基材２との間に、クッション材５を設けたものである。図２１において、実施例１と同一の符号は、同じ機能、構造を意味する。
【実施例４】
【００４７】
図２２は苺用包装容器の第４実施例の使用状態を示す斜視図である。図２３は苺用包装容器の第４実施例のＥ−Ｅ線に沿った断面図である。
【００４８】
苺用包装容器１６は、実施例２の苺保持部８において、保持板９を１枚としたものである。図２２、２３において、実施例２と同一の符号は、実施例２と同じ構造、機能を意味する。
【００４９】
なお、保持板９の素材としては、プラスチック、ＰＥＴの他、スポンジ状の樹脂、発泡スチロール、金属、木材などの天然素材なども使用できる。このように、保持板９が一枚であっても、二重より、クッション性において機能は低下するものの、保持板９の素材、厚みの選択、或いはクッション材１１を使用すること、さらには苺４が直立に、収納ケース７に接触せず保持されるため、従来に比べ十分苺４の傷みが改善される。
【図面の簡単な説明】
【００５０】
【図１】本発明である苺用包装容器の斜視図である。
【図２】本発明である苺用包装容器の平面図である。
【図３】本発明である苺用包装容器の正面図である。
【図４】本発明である苺用包装容器の左側面図である。
【図５】本発明である苺用包装容器の底面図である。
【図６】本発明である苺用包装容器の分解図である。
【図７】本発明である苺用包装容器のＡ−Ａ線に沿った断面図である。
【図８】本発明である苺用包装容器の使用状態を示す斜視図である。
【図９】本発明である苺用包装容器の使用状態を示す正面図である。
【図１０】本発明である苺用包装容器の使用状態を示す平面図である。
【図１１】本発明である苺用包装容器の使用状態を示す底面図である。
【図１２】本発明である苺用包装容器のＢ−Ｂ線に沿った断面図である。
【図１３】クッション材を取り付けた苺用包装容器を示す断面図である。
【図１４】苺用包装容器の第２実施例の斜視図である。
【図１５】苺用包装容器の第２実施例のＣ−Ｃ線に沿った断面図である。
【図１６】苺用包装容器の第２実施例の使用状態を示す斜視図である。
【図１７】苺用包装容器の第２実施例のＤ−Ｄ線に沿った断面図である。
【図１８】苺用包装容器の苺保持部に設けた茎挿入部の形状を示す拡大図である。
【図１９】苺用包装容器の苺保持部に設けた茎挿入部の形状を示す拡大図である。
【図２０】本発明である苺用包装容器の第３の実施例の横断面図である。
【図２１】クッション材を取り付けた苺用包装容器を示す断面図である。
【図２２】苺用包装容器の第４実施例の使用状態を示す斜視図である。
【図２３】苺用包装容器の第４実施例のＥ−Ｅ線に沿った断面図である。
【符号の説明】
【００５１】
１            苺用包装容器
２            基材
２ａ          支持枠
２ｂ          苺保持部
２ｃ          茎挿入部
２ｄ          間隙
２ｅ          突出部
３            基材
３ａ          支持枠
３ｂ          苺保持部
３ｃ          茎挿入部
３ｄ          間隙
３ｅ          突出部
４            苺
４ａ          果肉
４ｂ          茎
４ｃ          へた
５            クッション材
５ａ          茎挿通孔
６            苺用包装容器
７            収納ケース
７ａ          正面板
７ｂ          左側面板
７ｃ          背面板
７ｄ          右側面板
８            苺保持部
９            保持板
９ａ          保持部
９ｂ          茎挿入部
１０            保持板
１０ａ          保持部
１０ｂ          茎挿入部
１１            クッション材
１１ａ          茎挿通孔
１２            茎挿入部
１２ａ          苺保持部
１３            茎挿入部
１３ａ          苺保持部
１４            苺用包装容器
１５            苺用包装容器
１６            苺用包装容器
【図１】
2008285228.tif 000003
【図２】
2008285228.tif 000004
【図３】
2008285228.tif 000005
【図４】
2008285228.tif 000006
【図５】
2008285228.tif 000007
【図６】
2008285228.tif 000008
【図７】
2008285228.tif 000009
【図８】
2008285228.tif 000010
【図９】
2008285228.tif 000011
【図１１】
2008285228.tif 000012
【図１２】
2008285228.tif 000013
【図１３】
2008285228.tif 000014
【図１４】
2008285228.tif 000015
【図１５】
2008285228.tif 000016
【図１６】
2008285228.tif 000017
【図１７】
2008285228.tif 000018
【図１８】
2008285228.tif 000019
【図１９】
2008285228.tif 000020
【図２０】
2008285228.tif 000021
【図２１】
2008285228.tif 000022
【図２２】
2008285228.tif 000023
【図２３】
2008285228.tif 000024
【図１０】
2008285228.tif 000025